(57)【要約】【課題】血液の衝突による溶血が生じ難く、かつ血液の液面における泡立ちを抑制することが可能な採血管用栓体を提供する。【解決手段】採血管の容器本体４の開口４ａを閉栓するために取り付けられる採血管用栓体１であって、外表面部分２ｅから内表面部分２ｄに向かって中空針が刺通されるように構成されている、ゴム弾性材料からなる栓体本体２と、栓体本体２内において外表面部分２ｅと内表面部分２ｄとの間に設けられたガイド３とを備え、ガイド３が、中空針５の先端５ａから供給される血液が採血管の容器本体４の内側壁４ｂに向かうように中空針５の栓体本体２内における進行方向を斜め方向に誘導する採血管用栓体１。【選択図】図１
2008295705.tif 000002
【特許請求の範囲】
【請求項１】
採血管の開口を閉栓するために採血管に取り付けられる採血管用栓体であって、
採血管外に臨む外表面部分と、採血管の開口に取り付けられた際に採血管内に臨む内表面部分とを有し、
外表面部分から内表面部分に向かって中空針が刺通されるように構成されているゴム弾性材料からなる栓体本体と、
前記栓体本体内において前記外表面部分と内表面部分との間に設けられており、中空針の先端から供給される血液が採血管の内側壁に向かうように、前記中空針の栓体本体内における進入方向を斜め方向に誘導するガイドとを備えることを特徴とする、採血管用栓体。
【請求項２】
前記ガイドが、前記中空針の先端が当接した際に、前記中空針の進行方向を斜め方向に誘導する傾斜面部を有する、請求項１に記載の採血管用栓体。
【請求項３】
前記傾斜面部が、前記栓体本体内において、前記外表面部分側の端部から前記内表面部分側の端部に至るにつれて、栓体本体の軸方向中心から栓体本体の径方向外側に至るように傾斜されている、請求項２に記載の採血管用栓体。
【請求項４】
前記傾斜面部分が、円錐の側面により形成されている、請求項３に記載の採血管用栓体。
【請求項５】
前記ガイドが、前記栓体本体の内表面部部分に開口している開口から栓体本体の内部に圧入されて前記栓体本体に固定されている、請求項１〜４のいずれか１項に記載の採血管用栓体。
【請求項６】
前記ガイドが、前記圧入方向と交差する方向に延びる係止面を有し、前記栓体本体に圧入されたガイドが前記栓体本体から採血管側に脱落しないように係止されている、請求項５に記載の採血管用栓体。
【発明の詳細な説明】
【技術分野】
【０００１】
本発明は、例えば真空採血管のように、血液を内部に採取するための採血管の開口を閉栓するのに用いられる採血管用栓体に関し、より詳細には、中空針が刺通される部分の構造が改良された採血管用栓体に関する。
【背景技術】
【０００２】
従来、臨床検査等において、真空採血管などの採血管に血液が採取されている。この種の採血管では、採血管本体の開口にゴムなどからなる栓体が圧入され、密封されている。また、圧力差により血液を速やかに採取するために、内部が減圧されている真空採血管も広く用いられている。
【０００３】
真空採血管などの採血管に用いられている栓体は、上記のようにゴムなどの弾性材料により形成されている。このような栓体として、従来、様々な採血管用栓体が提案されている。例えば、下記の特許文献１には、ゴムからなる栓体の頭部の窪みの内面に突起などを設けることにより、開栓装置による栓体の採血管本体からの取り外しが容易とされている。
【特許文献１】特開２００１−０５８６９４号公報
【発明の開示】
【発明が解決しようとする課題】
【０００４】
特許文献１に記載のように、従来、採血管用の栓体について種々の工夫がなされてきている。しかしながら、この種の栓体を用いた場合、溶血が生じたり、血液の泡立ちが生じたりして、正確な検査が行い得なかったり、血清等を確実に分離することができないことがあった。
【０００５】
通常、採血管の栓体は均一なゴムなどの弾性材料からなる。例えば、採血管が管状容器本体からなる場合、中空針を管状容器本体の軸方向に平行に移動させるようにして栓体に中空針を刺通するのが普通である。従って、中空針の先端から供給される血液は、管状容器本体の底部にまず溜まり始め、さらに底部に貯留した血液の液面に後から供給される血液が直接衝突し、血液が採取される。この場合、血液が、既に貯留されている血液の液面に衝突する際の衝撃により、赤血球が破壊し、溶血を生じることがあった。特に、真空採血管などにおいては、採血の駆動力となる圧力差が大きい場合、赤血球がより一層破壊しがちであった。
【０００６】
加えて、既に貯留されている血液の液面に、新たに供給される血液が衝突した際に泡立ちが生じることがあった。そのため、例えば、血液凝固促進剤が添加されている真空採血管などでは、血液が泡立ったまま凝固しがちであった。泡立ったまま凝固すると、凝固完了後に遠心分離を行い血清を採取した場合、血清を良好に分離することができないことがあった。
【０００７】
なお、減圧度が低い真空採血管を用いた場合には、血液の流入速度を低下させることができる。よって、血液の血液面への衝突による衝撃を低めることが可能である。しかしながら、減圧度が低い真空採血管を用いた場合、十分な量の血液を採取することは困難となる。
【０００８】
また、上記のように問題を解決するには採血時に採血管を斜め方向に保持する方法も考えられる。すなわち、採血ホルダーに真空採血管を挿入したなど場合においては、ホルダー内で真空採血管をホルダーの軸心方向に対して斜め方向に手などにより保持すればよい。その場合には、血流が採血管の内側壁に沿うように流入され、血液に加わる衝撃を緩和することができる。しかしながら、採血に際してこのような作業を実際に行うのは非常に困難であり、看護師等に多大の負担を強いることとになる。
【０００９】
本発明の目的は、上述した従来技術の現状に鑑み、採血管の開口を閉栓する採血用栓体であって、中空針を刺通させて血液を採取するにあたり、血液に加わる衝撃を弱めることができ、それによって、溶血や血液の泡立ちを抑制することが可能とされている、採血管用栓体を提供することにある。
【課題を解決するための手段】
【００１０】
本発明によれば、採血管の開口を閉栓するために採血管に取り付けられる採血管用栓体であって、採血管外に臨む外表面部分と、採血管の開口に取り付けられた際に採血管内に臨む内表面部分とを有し、外表面部分から内表面部分に向かって中空針が刺通されるように構成されているゴム弾性材料からなる栓体本体と、前記栓体本体内において前記外表面部分と内表面部分との間に設けられており、中空針の先端から供給される血液が採血管の内側壁に向かうように、前記中空針の栓体本体内における進入方向を斜め方向に誘導するガイドとを備えることを特徴とする、採血管用栓体が提供される。
【００１１】
本発明に係る採血管用栓体では、好ましくは、前記ガイドが、前記中空針の先端が当接した際に、前記中空針の進行方向を、斜め方向に誘導する傾斜面部を有する。この場合には、採血に際し、栓体内に進入してきた中空針の先端が傾斜面部に当接すると、中空針の進行方向が傾斜面部によって斜め方向に誘導される。従って、採血管の内側壁に確実に血液を向かわせることができる。
【００１２】
より好ましくは、前記傾斜面部が、外表面部分側の端部から内表面部分側の端部に至るにつれて、栓体本体の軸方向中心から栓体本体の径方向外側に至るように傾斜されている。この場合には、傾斜面部に当接した中空針の先端が傾斜面部に接触すると、栓体本体の軸方向中心から栓体本体の径方向外側に向かうように移動され、すなわち、中空針の先端が、栓体本体内において確実に斜め方向に誘導される。
【００１３】
上記傾斜面部は様々な形状により形成することができるが、好ましくは、円錐の側面により形成される。この場合には、傾斜面部分が栓体本体の軸針の周りを周回するように形成されているため、中空針の先端をより確実に栓体本体の径方向外側に向かって誘導することができる。
【００１４】
本発明に係る採血管用栓体では、好ましくは、前記ガイドが、前記栓体本体の内表面部部分に開口している開口から栓体本体の内部に圧入されて前記栓体本体に固定されている。この場合には、別部材として用意したガイド本体に圧入するだけで採血管用栓体を容易に形成することができる。
【００１５】
好ましくは、前記ガイドが、前記圧入方向と交差する方向に延びる係止面を有し、前記栓体本体に圧入されたガイドが前記栓体本体から採血管側に脱落しないように係止されている。この場合には、ガイドが係止面を有するため栓体本体に圧入されたガイドの脱落を確実に防止することができる。
【発明の効果】
【００１６】
本発明に係る採血管用栓体によれば、ゴム弾性材料からなる栓体本体内において、該栓体本体の外表面部分と内表面部分との間にガイドが設けられており、ガイドにより中空針の栓体本体内における進行方向が斜め方向に誘導され、それによって、中空針の先端から供給される血液が採血管の内側壁に向かうこととなる。そのため、例えば、真空採血管のように、内部が減圧されており、圧力差により血液が採血管内に比較的高速で供給される場合であっても、血液が採血管の底部に直接向かわずに、内側壁に向かうように誘導されるため、内側壁に沿って血液が流下することとなる。そのため、既に貯留されていた血液の液面への新たな血液の直接的な衝突が生じ難いため、溶血を防止することができるとともに、血液の泡立ちも抑制することができる。
【００１７】
よって、本発明の採血管用栓体を用いることにより、溶血や血液の泡立ちを抑制することができるので、検体として良好な血液や血清等を提供することが可能となる。
【発明を実施するための最良の形態】
【００１８】
以下、図面を参照しつつ本発明の具体的な実施形態を説明することにより、本発明を明らかにする。
【００１９】
図１（ａ）は、本発明の一実施形態に係る採血管用栓体の正面断面図であり、（ｂ）は本実施形態の採血管用栓体の作用効果を説明するための模式的部分切欠正面断面図である。
【００２０】
図２（ａ）〜（ｃ）は、採血管用栓体１の平面図、正面図及び底面図である。
【００２１】
図１（ａ）に示すように、採血管用栓体１は、ゴム弾性を有する弾性材料からなる栓体本体２と、栓体本体２内に固定されたガイド３とを有する。
【００２２】
図１（ａ）及び図２（ａ）〜（ｃ）に示すように、栓体本体２は、相対的に径の大きな大径部２ａと、大径部２ａよりも径の小さな小径部２ｂを有する。小径部２ｂは、採血管に圧入される部分であり、その径は、採血管の開口に圧入されるように、採血管の開口の内径よりも若干大きくされている。他方、大径部２ａの径は、採血管の外径よりも大きくされている。
【００２３】
また、栓体本体２の上面には、窪み２ｃが形成されている。窪み２ｃは、窪み２ｃが形成されている部分において、栓体本体２の肉厚を薄くするために設けられている。すなわち、肉厚が相対的に薄い薄肉部を栓体本体２の中央に設けることにより、中空針の刺通が容易とされている。
【００２４】
上記栓体本体２を構成する弾性材料については特に限定されず、適宜のゴムもしくはエラストマーを用いることができる。このようなゴムもしくはエラストマーとしては、例えば、天然ゴム、ブチルゴム、塩素化ブチルゴム、臭素化ブチルゴム、シリコーンゴムなどの様々なゴム、あるいは、スチレン系エラストマー、塩化ビニル系エラストマー、オレフィン系エラストマー、ウレタン系エラストマー、ポリエステル系エラストマーもしくはポリアミド系エラストマーなどの各種エラストマーを利用することができる。
【００２５】
また、栓体本体２では、少なくとも血液が接触する表面部分は、血液の付着を防止するために血液付着防止剤でコーティングされていることが望ましい。このような血液付着防止剤としては特に限定されないが、シリコーンオイル、アルコール変性シリコーンオイル、ポリエチレングリコール、ポリプロピレングリコール、ポリオキシエチレン−ポリオキシアルキレン縮合体、ポリオキシアルキレンアルキレングリコール、ポリオキシアルキレングリコール誘導体などを例にすることができる。血液付着防止剤によるコーティングを施す場合には、採血管の栓体以外の部分においても、血液が接触する表面部分を同様に血液付着防止剤でコーティングしておくことが望ましい。
【００２６】
なお、栓体本体２の小径部２ｂの横断面形状は、本実施形態では円形であるが、採血管の開口の平面形状に応じた適宜の形状とされ得る。すなわち、採血管の開口が円形である場合には、本実施形態により、小径部２ｂの横断面形状は円形とされており、開口部が矩形の場合には、栓体本体２の小径部２ｂの横断面形状も矩形等の開口に応じた形状とすればよい。
【００２７】
図１（ａ）において、小径部２ｂは前述したように採血管の開口に圧入される部分であり、従って、栓体本体２の下面が採血管に装着された際の内表面部分２ｄとなる。他方、窪み２ｃが形成されている部分は採血管に取付けられた後に採血管外に臨む外表面部分２ｅとなる。
【００２８】
本実施形態の栓体１の特徴は、上記外表面部分２ｅと内表面部分２ｄとの間において、栓体本体２にガイド３が配置されていることにある。ガイド３は、図１（ａ）及び図３に示すように円柱状部分３ａと、円柱状部分に連ねられた円錐状部分３ｂとを有する。円錐状部分３ｂの底面の径は、円柱状部分３ａの直径よりも大きくされている。従って、上記円錐状部３ｂの底面の外周縁が円柱状部分３ａよりも側方にはみ出しており、それによって、ドーナツ上の係止面３ｃが形成されている。
【００２９】
ガイド３を構成する材料は、中空針が刺通不可能な堅い材料であれば特に限定されてない。このような材料としては、例えば、金属、セラミックス、ガラス、または合成樹脂などを挙げることができる。合成樹脂としては、中空針が刺通不可能である限り、特に限定されず、ポリエチレンテレフタレート、ナイロン、ポリプロピレン、ポリエチレン、ポリスチレン、ポリカーボネート、硬質塩化ビニル樹脂、アクリル樹脂などを挙げることができる。
【００３０】
上記ガイド３の円錐状部分３ｂは、先端３ｄが栓体本体２の外表面２ｅ側に位置している。すなわち、本実施形態では、上記ガイド３は、内表面部分２ｄと外表面部分２ｅとの間に配置されているが、ガイド３の上記栓体本体２の外表面２ｅ側の端部が上記円錐状部分３ｂの先端３ｄであり、内表面２ｄ側の端部が上記円柱状部分３ａの端部である。そして、ガイド３は、栓体本体２の内表面部分２ｄに開いた孔に圧入することにより、栓体本体２に固定されている。この場合、上記係止面３ｃが、採血管の軸方向すなわち栓体１の軸方向に交差するように延ばされているため、より具体的には、直交する方向に延ばされているため、圧入されたガイド３が栓体本体２からの脱落が確実に防止される。なお、係止面３ｃは、上記軸方向と交差している限り、必ずしも直交する方向に延ばされておらずともよい。
【００３１】
本実施形態では、ガイド３の円錐状部分３ｂの側面が傾斜面部３ｅを形成しているため、中空針の採血管への進入方向が斜め方向に誘導される。これを図１（ｂ）を参照して説明する。図１（ｂ）は、真空採血管に本実施形態の採血管用栓体１を応用した例における上記採血管用栓体１の作用効果を説明するための部分切欠正面断面図である。ここでは、有底の管状容器からなる採血管本体４の一端に開口４ａが形成されている。開口４ａ側から、容器本体４に栓体１の小径部２ｂが圧入されてて、採血管用栓体１が容器本体４に固定されている。また、このようにして構成された真空採血管内は、通常、５〜７０ｋＰａ程度に減圧されている。
【００３２】
採血に際しては、真空採血針の一端側に配置された中空針５により、採血管用栓体１を刺通する。この場合、窪み２ｃが設けられている薄肉部を狙って中空針５を栓体本体２の外表面部分２ｅに接触させ、刺通する。栓体本体２内に進入してきた採血針５の先端５ａは、下方に位置しているガイド３の円錐状部分３ｂの傾斜面部分３ｅに当接すると、図示のように該傾斜面部３ｅに沿って移動し、斜め方向に誘導される。そのため、中空針５の先端５ａは、供給する血液を容器本体４の内側壁４ｂに向かうように案内される。
【００３３】
従って、圧力差により血液を採取した場合、血液は、まず容器４の内側壁４ｂに向かうこととなる。よって、供給される血液が直接容器本体の底部に貯留し、かつ貯留された血液の液面に直接次の血液が衝突しない。すなわち、供給される血液は、中空針の先端５ａ近傍において、上記本体４の内側壁４ｂに接触し、内側壁４ｂを伝って流れることとなる。
【００３４】
中空針５の先端５ａと、血液が最初に接触される内側壁４ｂとの間の距離は比較的短いため、かつ、内側壁４ｂに対して血流が斜めに接触するので、内側壁４ｂに血液が接触する際の衝撃は、底部まで血液が移動した場合等に比べてかなり弱められることとになる。従って、本実施形態の採血管用栓体１を用いることにより、赤血球の破壊を防止することができる。また、血液の泡立ちも抑制することができる。よって、採取された血液を凝固させ、血清を分離する場合、血清を良好に分離することができる。
【００３５】
なお、血清を分離するために内部で血液を凝固させる場合には、予め真空採血管内に適宜の凝固促進剤を収納しておけばよい。
【００３６】
なお、本発明が適用される採血管は、真空採血管に限定されないが、真空採血管の場合、内部が減圧されており、圧力差により、血液の流入速度が高くなる。そのため、真空採血管では、赤血球の破壊や血液の泡立ちが生じ易いため、本発明の採血管用栓体１を用いた場合の効果が、より大きい。すなわち、本発明の採血管用栓体１を用いることにより、真空採血管においても、溶血や血液の泡立ちを確実に抑制することができ、望ましい。
【００３７】
また、本発明が適用される採血管の形状は、有底の筒状の容器に限らず、角筒状のセルであってもよく、様々な形状の開口及び様々な形状を有する採血管に広く用いることができ、そのような開口の形状に応じて、前述したように、栓体の圧入される部分の形状が変形されればよい。
【００３８】
また、上記実施形態では、ガイド３は、円柱状部分３ａと円錐状部分３ｂとを有していたが、ガイド３の形状はこれに限定されるものではない。
【００３９】
例えば、図４に示す変形例の真空採血管用栓体１１では、ガイド１３は円錐状の形状を有する。このように、円錐状の形状を有する部分のみにより、ガイド１３が形成されていてもよい。ガイド１３では、円錐状部分の先端１３ａが上記栓体２の外表面部分２ｅに至っている。すなわち、ガイドは、栓体２において、内表面部分２ｄから外表面部分２ｅの間において、内表面部分２ｄ及び外表面部分２ｅの双方に至る寸法とされていてもよい。
【００４０】
また、図５に示す変形例のように円錐状ガイド２３を用いてもよい。この場合、ガイド２３は、栓体２１の栓体本体２の外表面部分２ｅから、内表面部分２ｄ側に延ばされているが、内表面側の端部は、内表面側の端部は内表面部分２ｄには至っていない。このように、本発明におけるガイドは、内表面部分２ｄと外表面部分２ｅとの間に位置されている限り、適宜の位置に設けられ得る。
【００４１】
すなわち、図４に示す円錐形状のガイド１３及び図５に示す円錐形状のガイド２３のいずれにおいても、側面が本発明における傾斜面部を構成しているため、上述した実施形態のガイド３と同様に中空針が当接された際に、中空針の先端の進行方向において斜め方向に誘導する作用を果たし、上記実施形態と同様の効果を与える。
【００４２】
なお、傾斜面部分は、上述した円錐の側面または円錐台の側面に限定されず、他の形状とされていてもよい。
【００４３】
また、ガイドの栓体本体への固定方法は、前述した圧入による固定方法に限らず、接着等により固定されていてもよい。
【００４４】
次に、具体的な実施例及び比較例を挙げて、本発明の効果を明らかにする。
【００４５】
（実施例）
実施例の採血管用栓体としては、図１〜図３を参照して示した実施形態の形状の採血管用栓体１を用いた。ここでは、小径部２ｂの高さ方向寸法が１１ｍｍであるブチルゴムからなる栓体本体２に、円錐状部分３ｂの底面の径３ｍｍ、円錐状部分３ｂの高さが３ｍｍ、円柱状部分３ａの径が２ｍｍ、高さ方向寸法が４ｍｍであるポリエチレンテレフタレート製の成形体からなるガイド３を栓体本体２に圧入した。このようにして、採血管用栓体１を作製した。
【００４６】
内径１３ｍｍ長さ１００ｍｍの有底の円筒状のガラス管からなる容器本体内を１５ｋＰａに減圧した状態で、上記実施例の採血管用栓体で密封し、真空採血管を作製した。採血ホルダー及び採血針を上記真空採血管とともに用い、静脈から真空採血を行った。この場合、真空採血管を正立させた状態で、真空採血を行い、血液上面の泡層の厚みを測定した。真空採血管を、正立させた状態で真空採血管を室温で０．５時間放置し、血液の凝固を確認した。しかる後、真空採血管を１５００Ｇで遠心分離し、得られた血清の赤味を目視より観察し、溶血の有無を確認した。
【００４７】
その結果、遠心分離前の上記血液上面の泡層の厚みは、１ｍｍであった。また、血清の赤味を目視で観察した場合、赤味は認められず、溶血は認められなかった。
【００４８】
（比較例）
上記ガイドが用いられておらず、小径部の底面に孔が形成されていないことを除いては、実施例と同様に形成された採血管用栓体を用いたことを除いては、実施例と同様にして真空採血を行い、評価した。
【００４９】
その結果、遠心分離前の血液上面の泡層の厚み８ｍｍと大きく、血液の泡立ちが実施例に比べて著しかった。また、血液の凝固を確認した後、遠心分離により得られた血清の赤味を観察したところ、赤味が認められて、溶血が生じていることが確かめられた。
【図面の簡単な説明】
【００５０】
【図１】（ａ）は、本発明の一実施形態に係る採血管用栓体の正面断面図であり、（ｂ）は、その使用状態における作用効果を説明するための部分切欠正面断面図である。
【図２】（ａ）は、図１に示した実施形態の採血管用栓体の平面図であり、（ｂ）正面図であり、（ｃ）は底面図である。
【図３】図１に示した実施形態で用いられているガイドの正面図である。
【図４】図１に示した採血管用栓体の変形例に係る採血管用栓体を示す正面図である。
【図５】図１に示した採血管用栓体の他の変形例に係る採血管用栓体を示す正面図である。
【符号の説明】
【００５１】
１…採血管用栓体
２…栓体本体
２ａ…大径部
２ｂ…小径部
２ｃ…窪み
２ｄ…内表面部分
２ｅ…外表面部分
３…ガイド
３ａ…円柱状部分
３ｂ…円錐状部分
３ｃ…係止面
３ｄ…先端
３ｅ…傾斜面部
４…容器本体
４ａ…開口
４ｂ…内側壁
５…中空針
５ａ…先端
１１…採血管用栓体
１３…ガイド
２１…採血管用栓体
２３…ガイド
２３ａ…傾斜面部
【図１】
2008295705.tif 000003
【図２】
2008295705.tif 000004
【図３】
2008295705.tif 000005
【図４】
2008295705.tif 000006
【図５】
2008295705.tif 000007